(57)【要約】【課題】  放電セルで互いに対向している電極の構造を改善して、この電極間のキャパシタンスを低下させたプラズマディスプレイパネルを提供する。【解決手段】  本発明によるプラズマディスプレイパネルは、互いに対向する前面基板及び背面基板、前記前面基板及び背面基板の間に位置して、複数の放電セルを区画する隔壁、前記放電セルに対応するように形成されるアドレス電極、前記放電セル内に形成される蛍光体層、前記放電セルで互いに対向して放電ギャップをなして、前記放電セルの長手方向の中心軸と幅方向の中心軸のうちの少なくとも一つに対して非対称に形成される維持電極及び走査電極、及び前記維持電極及び走査電極を覆っている誘電体層を含む。【選択図】    図２
2005347249.tif 000002
【特許請求の範囲】
【請求項１】
互いに対向する前面基板及び背面基板；
前記前面基板及び背面基板の間に位置して、複数の放電セルを区画する隔壁；
前記放電セルに対応するように形成されるアドレス電極；
前記放電セル内に形成される蛍光体層；
前記放電セルで互いに対向して放電ギャップをなして、前記放電セルの長手方向の中心軸と幅方向の中心軸のうちの少なくとも一つに対して非対称に形成される維持電極及び走査電極；及び、
前記維持電極及び走査電極を覆っている誘電体層；を含む、プラズマディスプレイパネル。
【請求項２】
前記維持電極及び走査電極は、
前記アドレス電極の延長方向を基準に互いに反対方向に偏って形成される、請求項１に記載のプラズマディスプレイパネル。
【請求項３】
前記維持電極及び走査電極は、
前記放電セルの平面上の中心に対して幾何学的に点対称をなしている、請求項２に記載のプラズマディスプレイパネル。
【請求項４】
前記維持電極及び走査電極の各々は、
前記アドレス電極と交差する方向に長く形成されるバス電極；及び
前記バス電極から前記放電セルの内部に向かって突出して前記放電ギャップをなしている透明電極；を含み、
前記透明電極は前記放電セルの長手方向の中心軸と幅方向の中心軸のうちの少なくとも一つに対して非対称に形成される、請求項１に記載のプラズマディスプレイパネル。
【請求項５】
前記透明電極は、前記バス電極と交差する部分で部分的に除去された切開部を形成している、請求項４に記載のプラズマディスプレイパネル。
【請求項６】
前記透明電極は、前記バス電極から前記アドレス電極の延長方向に突出して、前記放電セルの内部に向かって延長されて前記放電ギャップをなしている、請求項５に記載のプラズマディスプレイパネル。
【請求項７】
前記透明電極は、部分的に前記隔壁上に形成される、請求項４に記載のプラズマディスプレイパネル。
【請求項８】
前記透明電極は、前記隔壁を横切って隣接する一対の放電セルにかけて形成される、請求項４に記載のプラズマディスプレイパネル。
【請求項９】
前記透明電極の中心が前記隔壁上に位置する、請求項８に記載のプラズマディスプレイパネル。
【請求項１０】
前記走査電極の透明電極及び前記維持電極の透明電極の中心が前記隔壁に沿って交互に位置する、請求項９に記載のプラズマディスプレイパネル。
【請求項１１】
前記透明電極及び前記バス電極が交差する部分に、各々の放電セルの内部で選択的に除去された開口部を形成している、請求項８に記載のプラズマディスプレイパネル。
【請求項１２】
前記透明電極は、前記隔壁に沿って延長されて、隣接する一対の放電セルの内部に向かって各々分枝されて前記放電ギャップをなしている、請求項１１に記載のプラズマディスプレイパネル。
【発明の詳細な説明】
【技術分野】
【０００１】
本発明はプラズマディスプレイパネルに関し、より詳しくは、電極間のキャパシタンス（capacitance）を低下させたプラズマディスプレイパネルに関する。
【背景技術】
【０００２】
プラズマディスプレイパネルは、数十または数百万個の放電セルをマトリックス形態に備えており、この放電セルで起こるプラズマ放電によって画像を表示する薄膜表示パネルである。
【０００３】
一般的な３電極面放電型プラズマディスプレイパネル（以下、ＰＤＰ）では、放電セルに対応するように背面基板にアドレス電極、隔壁、及び赤色、緑色、または青色の蛍光体層が形成され、前面基板にアドレス電極と交差するように走査電極及び維持電極が形成される。そして、前記走査電極及び維持電極は誘電体層及び保護膜で覆われている。そして、放電セルの内部が放電ガス（主にＮｅ−Ｘｅ混合ガス）で満たされて、プラズマディスプレイパネルが構成される。
【０００４】
このように構成されるＰＤＰの放電セルの内部では、走査電極及び共通電極に印加される電圧によって放電ガスによるプラズマ放電を起こし、ここで紫外線が放出されて蛍光体を発光させることによって画像を表示する。
【０００５】
このように構成されるＰＤＰの最も大きな短所の一つは、エネルギー変換効率が悪いということである。これは、それだけ無効消費電力、つまりパネルが動作しない状態で消費される電力が多いということであるが、これについてより詳細に見てみる。
【０００６】
ＰＤＰは、数十万個の放電セルを備えており、この放電セルに対応するように一対の電極が形成されている。この電極は電気が通る金属物質で形成され、この電極を保護するために誘電体がこれらを覆っている構造からなる。
【発明の開示】
【発明が解決しようとする課題】
【０００７】
したがって、電極の周辺は、二つの金属間に誘電体が介在された構造をなすことによって、一種のキャパシタが形成される。そのため、ＰＤＰは、実質的に放電セルに相当する数だけのキャパシタを含む構造にすることができ、各放電セルにはキャパシタの容量（すなわち、キャパシタンス）に相当する電荷量が付加的に保存されるので、ＰＤＰ全体の消費電力はキャパシタに保存される前記電荷量だけ無効消費電力が増加する問題がある。
【０００８】
本発明の目的は、放電セルで互いに対向している電極の構造を改善して、この電極間のキャパシタンスを低下させたプラズマディスプレイパネルを提供することにある。
【課題を解決するための手段】
【０００９】
本発明によるプラズマディスプレイパネルは、互いに対向する前面基板及び背面基板、前記前面基板及び背面基板の間に位置して、複数の放電セルを区画する隔壁、前記放電セルに対応するように形成されるアドレス電極、前記放電セル内に形成される蛍光体層、前記放電セルで互いに対向して放電ギャップをなして、前記放電セルの長手方向の中心軸と幅方向の中心軸のうちの少なくとも一つに対して非対称に形成される維持電極及び走査電極、及び前記維持電極及び走査電極を覆っている誘電体層を含む。
【００１０】
本発明において、前記維持電極及び走査電極は、前記アドレス電極の延長方向を基準に互いに反対方向に偏って形成される。
【００１１】
この時、前記維持電極及び走査電極は、前記放電セルの平面上の中心に対して幾何学的に点対称をなしているのが好ましい。
【００１２】
本発明において、前記維持電極及び走査電極の各々は、前記アドレス電極と交差する方向に長く形成されるバス電極、及び前記バス電極から前記放電セルの内部に向かって突出して前記放電ギャップをなしている透明電極を含み、前記透明電極は前記放電セルの長手方向の中心軸と幅方向の中心軸のうちの少なくとも一つに対して非対称に形成される。
【００１３】
また、前記透明電極は、前記バス電極と交差する部分で部分的に除去された切開部を形成しており、この時、前記透明電極は、前記バス電極から前記アドレス電極の延長方向に突出して、前記放電セルの内部に向かって延長されて前記放電ギャップをなしているのが好ましい。
【００１４】
本発明において、前記透明電極は、部分的に前記隔壁上に形成されるのが好ましい。
【００１５】
一方、本発明では、前記透明電極は、前記隔壁を横切って隣接する一対の放電セルにかけて形成され、この時、前記透明電極の中心が前記隔壁上に位置するのが好ましい。
【００１６】
また、前記走査電極の透明電極及び前記維持電極の透明電極の中心が前記隔壁に沿って交互に位置するのがより好ましい。
【００１７】
本発明において、前記透明電極及び前記バス電極が交差する部分に、各々の放電セルの内部で選択的に除去された開口部をさらに形成しており、この時、前記透明電極は、前記隔壁に沿って延長されて、隣接する一対の放電セルの内部に向かって各々分枝されて前記放電ギャップをなすようになる。
【発明の効果】
【００１８】
本発明によれば、従来の問題を解決して、維持電極及び走査電極の間の放電ギャップはそのまま維持しながら、電極間の最大距離を広げてキャパシタンスを低下させる効果がある。これによって、パネルの無効消費電力を減少させることができる。
また、本発明によれば、弱放電によるリセット区間の放電で簡単な波形の低い電圧でも壁電荷を容易に制御することができる効果がある。
【発明を実施するための最良の形態】
【００１９】
以下、添付した図面を参照して、本発明の好ましい実施形態について、当業者が容易に実施することができるように詳細に説明する。しかし、本発明は多様な相違した形態で実現でき、ここで説明する実施形態に限定されない。
【００２０】
図１は本発明の一実施形態によって構成されるプラズマディスプレイパネル（以下、ＰＤＰ）の概略的な部分分解斜視図である。この図面を参照して、本発明によって構成されるＰＤＰについて説明する。
【００２１】
図面を参照すれば、本実施形態によるＰＤＰは、一対の前面基板４及び背面基板２が任意の間隔をおいて互いに対向配置され、両基板の間には隔壁１２によって区画される色相別放電セル８Ｒ、８Ｇ、８Ｂが形成される。この時、アドレス電極８は放電セル８Ｒ、８Ｇ、８Ｂの幅方向（図面のｘ軸方向）と交差する方向（図面のｙ軸方向）に長く延長されて、互いに隣接するアドレス電極８同志は一定の間隔をおいて平行に配置される。
【００２２】
前記アドレス電極８は、背面基板２の内面に形成されて、前記アドレス電極８を覆いながら背面基板２の内面全体に誘電体層１０が形成される。
【００２３】
前記誘電体層１０上には隔壁１２が形成され、前記隔壁１２の壁面及びその底をなしている誘電体層１０にかけて赤、緑、青色の蛍光体１４Ｒ、１４Ｇ、１４Ｂが塗布されて、色相別放電セル８Ｒ、８Ｇ、８Ｂが形成される。
【００２４】
図１では、隔壁１２が図面のｙ軸方向に沿って互いに平行に配置されるストライプ形態の放電セルを示しているが、本発明はこれに限定されない。一例として、アドレス電極８と平行な隔壁部材及びこれと交差する隔壁部材によって格子形態の放電セルが形成される構造にも本発明が適用される。
【００２５】
そして、背面基板２に対向する前面基板４上には、アドレス電極８と交差する方向（図面のｘ軸方向）に沿って走査電極１６及び維持電極１８からなる表示電極２０が形成されて、前記表示電極２０を覆いながら前面基板４の内面全体に誘電体層２２及び保護膜２４が順次に形成される。
【００２６】
本実施形態で、前記表示電極２０は、透明電極１６ａ、１８ａ及びバス電極１６ｂ、１８ｂからなる。ここで、前記透明電極１６ａ、１８ａは、放電セル８Ｒ、８Ｇ、８Ｂの内部で各々互いに対向して放電ギャップをなすが、開口率を向上させるために、ＩＴＯ（Indium Tin Oxide）のような透明な物質で形成される。そして、バス電極１６ｂ、１８ｂは、透明電極１６ａ、１８ａの高い抵抗を下げるために、クロムや銅のような金属物質で形成される。
【００２７】
図２乃至図５を参照すれば、本発明の実施形態及びその変形例において、走査電極１６及び維持電極１８は放電セルの長手方向の中心軸ＣＩと幅方向の中心軸Ｃｗのうちの少なくとも一つに対して非対称に形成される。
【００２８】
例えば、図面に示したように、走査電極１６及び維持電極１８はアドレス電極８の延長方向（図面のｙ軸方向）を基準にして互いに反対方向に偏って形成されることができる。
【００２９】
透明電極及びバス電極の組み合わせで形成される表示電極２０は、走査電極１６及び維持電極１８が放電セルの平面上の中心に対して幾何学的に点対称をなすように形成されることができる。このように電極を形成することにより、放電セルの最長距離を利用して面放電を形成することができ、走査電極１６及び維持電極１８が互いに対向する面積を減少させて、キャパシタンス（capacitance）による消費電力を減少させることができる。これについては、別の図面を参照して、下記で詳細に説明する。
【００３０】
一方、前面基板４及び背面基板２の組み合わせによって、アドレス電極８及び表示電極２０は放電セル８Ｒ、８Ｇ、８Ｂで交差するように位置して、放電セルの内部はプラズマ放電によって紫外線の放出を誘導する放電ガス（主にＮｅ−Ｘｅ混合ガス）で満たされる。
【００３１】
以下、添付した図面を参照して、本発明による表示電極の構造について詳細に説明する。図２及び図３は本発明の第１実施形態による表示電極の構造を説明する図面である。これを参照して、下記で、本発明の第１実施形態による表示電極について説明する。
【００３２】
図面において、アドレス電極が配置された方向と同一な方向、つまりｙ軸方向には、放電セルを区画する複数の隔壁１２が形成されており、互いに隣接する隔壁１２は一定の距離をおいて離隔している。
【００３３】
このように形成される隔壁１２を横切る方向（図面のｘ軸方向）には、走査電極１６及び維持電極１８が互いに対向しながら長く延長形成される。
【００３４】
この表示電極２０は、前記のように、透明電極１６ａ、１８ａ及びバス電極１６ｂ、１８ｂの組み合わせで形成される。
【００３５】
より詳細には、走査電極１６及び維持電極１８をなしている各々のバス電極１６ｂ、１８ｂは、互いに一定の間隔、つまり放電セルの縦方向（図面のｙ軸方向）のピッチ（Ｐ）による距離を維持しながら、隔壁１２と交差する方向（図面のｘ軸方向）に平行に延長形成される。
【００３６】
そして、透明電極１６ａ、１８ａは、各放電セルに沿って個別に備えられるが、一端が前記バス電極１６ｂ、１８ｂに電気的に接触した状態で、放電セルの内部に向かって突出形成される。これにより、走査電極１６及び維持電極１８をなす透明電極１６ａ、１８ａは、放電セルの内部で互いに対向して放電ギャップ（Ｇ）をなすようになる。
【００３７】
透明電極１６ａ、１８ａは、放電セルで放電セルの長手方向の中心軸ＣＩと幅方向の中心軸Ｃｗのうちの少なくとも一つに対して非対称に形成される。図面において、図面符号“Ｏ”は放電セルの平面上の中心を示すが、透明電極１６ａ、１８ａはこの中心（Ｏ）を基準に点対称をなすように互いに交差して形成される。
【００３８】
図面において、走査電極１６をなしている透明電極１６ａは、放電セルの中心軸Ｃｗから一方向に移動して形成される。つまり、透明電極１６ａは、幾何学的に放電セルの中心に位置せずに、放電セルの幅方向の中心軸Ｃｗから一方向に偏って形成される。
【００３９】
これと比較して、維持電極１８をなしている透明電極１８ａは、走査電極１６の透明電極１６ａが移動した方向とは反対方向に偏って形成される。つまり、走査電極１６の透明電極及び維持電極の透明電極は、放電セルを区画する一対の隔壁１２に対して各々互いに反対の隔壁に向かって偏って形成される。したがって、幾何学的に、透明電極１８ａは放電セルの中心軸Ｃｗに対して走査電極１６の透明電極１６ａと互いに非対称に形成される。
【００４０】
透明電極１６ａ、１８ａがこのように放電セルの中心で互いに反対方向に偏って形成されるので、透明電極１６ａ、１８ａの一部が隔壁１２の上部に位置して形成されることもできる。図面においては、透明電極１６ａ、１８ａがこのように隔壁の上部に一部が位置する形態を示したが、本発明はこれに限定されない。
【００４１】
このように放電ギャップ（Ｇ）をなしている透明電極１６ａ、１８ａを放電セルの中心軸に対して互いに非対称に形成すれば、放電ギャップ（Ｇ）の距離はそのまま維持しながら、走査電極１６及び維持電極１８の間に形成されるキャパシタンスを低下させることができて、無効消費電力を減少させることができる。
【００４２】
これについて、下記の数式１を参照してより具体的に説明する。
【数１】
2005347249.tif 000003
【００４３】
数式１はキャパシタのキャパシタンスを求める式で、Ｃはキャパシタンスであり、Ａは極板の面積、ｄは極板間の距離、そしてεは極板間の誘電率である。この式によれば、キャパシタンスは、極板、つまり電極の面積に比例し、電極間の距離に反比例するといえる。
【００４４】
これを参照して、本実施形態によって構成される表示電極に寄生するキャパシタンスを従来の３電極面放電型ＰＤＰと比較すると、従来のＰＤＰは、電極が放電セルで対称的に形成されて互いに対向しているため、電極間の最大距離（ｄ１）が直線によるバス電極１６ｂ、１８ｂ間の距離を超えることができない。反面、本実施例による電極の構造では、走査電極１６及び維持電極１８が中心（Ｏ）で点対称をなしているため、電極間の最大距離（ｄ２）が対角線距離になる。したがって、ｄ１＜ｄ２の条件を有し、これを数式１に代入すれば、本実施形態による電極の構造のキャパシタンスは低いと言える。
【００４５】
一方、本実施例の変形形態によると、透明電極１６ａ、１８ａはバス電極１６ｂ、１８ｂ及び透明電極１６ａ、１８ａが交差する部分で部分的に切開されることができる。つまり、図３を参照すれば、透明電極１６ａ、１８ａには切開部１６１、１８１が形成されることができる。
【００４６】
この時、前記切開部１６１、１８１は、ほぼ四角形状を有するように形成されるが、これにより、透明電極１６ａ、１８ａは前記バス電極１６ｂ、１８ｂから隔壁１２に沿って延長されて、放電セルの平面上の中心（Ｏ）に隣接する放電セルの内部に向かって突出した形状を有する。そのために、本実施形態の表示電極２０は、放電ギャップ（Ｇ）付近では透明電極１６ａ、１８ａが互いに対向するが、後端では電極の一部分が除去された開口された形状を有する。
【００４７】
一方、このように構成される表示電極２０は、壁電荷の分布を容易に制御することができる。
【００４８】
ＡＤＳ（address and display period separated）駆動で、リセット区間は壁電荷をリセットする区間であり、相対的に低い電圧を利用して弱放電を起こして壁電荷を消去する。そのために、放電セルの両端で弱い電場が形成されて、壁電荷の制御が難しく、これを解決するためには、複雑な波形の高い電圧を使用しなければならない問題がある。
【００４９】
しかし、本実施形態のような表示電極の構成では、バス電極１６ｂ、１８ｂ及び透明電極１６ａ、１８ａが交差する部分のうちの少なくとも一部には電極が形成されていないため、放電セルの両端には壁電荷がほとんど分布せず、主放電を起こす放電ギャップの周囲に主に壁電荷が分布するので、簡単な波形の低い電圧を使用して壁電荷の分布を制御することができるようになる。
【００５０】
以下、図４及び図５を参照して、本発明の第２実施形態による表示電極の構造を詳細に説明する。図４及び図５は本発明の第２実施形態によって構成されるＰＤＰにおける隔壁及び表示電極のみを選択的に示した電極配置図である。
【００５１】
図面を参照すれば、この実施形態による走査電極４１及び維持電極４３の各々は、透明電極４１ａ、４３ａ及びバス電極４１ｂ、４３ｂの組み合わせで形成される。
【００５２】
バス電極４１ｂ、４３ｂは、互いに一定の間隔、つまり放電セルの縦方向（図面のｙ軸方向）のピッチ（Ｐ）による距離を維持しながら、隔壁１２と交差する方向（図面のｘ軸方向）に平行に延長形成される。
【００５３】
そして、透明電極４１ａ、４３ａは、一端がバス電極４１ｂ、４３ｂに接触した状態で、放電セルの内部に向かって突出形成され、また、隔壁１２を横切って隣接する一対の放電セルにかけて形成される。
【００５４】
この時、透明電極４１ａ、４３ａの中心（Ａ）はこの透明電極４１ａ、４３ａが横切る隔壁１２に位置して、各放電セルに対して同一の大きさの電極を形成することができるようにされる。したがって、本実施形態では、透明電極４１ａ、４３ａが互いに隣接する一対の放電セルにまたがって形成されて、透明電極４１ａ、４３ａの各々は隔壁１２と交差するように形成される。
【００５５】
一方、走査電極４１及び維持電極４３をなしている各々の透明電極４１ａ、４３ａは、放電セルで互いに交差するように、各々の透明電極４１ａ、４３ａの中心（Ａ）が隔壁１２に交互に形成される。つまり、図面のｘ軸方向に沿って見る時、走査電極４１の透明電極４１ａが隔壁１２を横切って形成されながら、その中心（Ａ）は横切っている隔壁１２に位置するように形成され、その次に該隔壁１２にすぐに隣接している隔壁１２を横切って維持電極４３の透明電極４３ａが走査電極４１の例と同様に形成される。したがって、図面のｘ軸方向に沿って、隔壁１２上に走査電極４１及び維持電極４３の透明電極の中心（Ａ）が交互に位置する。
【００５６】
一方、図５に示しているように、透明電極４１ａ、４３ａは、前記バス電極４１ｂ、４３ｂと接触する部分が各々の放電セルの内部で選択的に除去された開口部４１１ａ、４１１ｂ、４３１ａ、４３１ｂをさらに形成している。そのために、透明電極４１ａ、４３ａの形状が、隔壁１２上に延長されて、隣接する一対の放電セルの内部に向かって各々分枝される、ほぼＴ字型からなる。
【００５７】
以上のように、本発明は、限定された実施形態及び図面によって説明されたが、本発明はこれに限定されず、本発明が属する技術分野における通常の知識を有する者によって、本発明の技術思想及び特許請求の範囲と均等な範囲内で、多様な修正及び変形が可能である。
【図面の簡単な説明】
【００５８】
【図１】本発明の実施形態によって構成されるプラズマディスプレイパネルの概略的な部分分解斜視図である。
【図２】図１に示したプラズマディスプレイパネルのうちの表示電極及び隔壁の配置関係を説明する概略的な平面図である。
【図３】図２に示した電極構造の変形例を示した平面図である。
【図４】本発明の他の実施形態によって構成されるプラズマディスプレイパネルの表示電極及び隔壁の配置関係を説明する概略的な平面図である。
【図５】図４に示した電極構造の変形例を示した平面図である。
【符号の説明】
【００５９】
２  背面基板
４  前面基板
８  アドレス電極
８Ｒ、８Ｇ、８Ｂ  放電セル
１０、２２  誘電体層
１２  隔壁
１４Ｒ、１４Ｇ、１４Ｂ  蛍光体
１６、４１  走査電極
１６ａ、１８ａ、４１ａ、４３ａ  透明電極
１６ｂ、１８ｂ、４１ｂ、４３ｂ  バス電極
１８、４３  維持電極
２０  表示電極
２４  保護膜
１６１、１８１  切開部
４１１ａ、４１１ｂ、４３１ａ、４３１ｂ  開口部
【図１】
2005347249.tif 000004
【図２】
2005347249.tif 000005
【図３】
2005347249.tif 000006
【図４】
2005347249.tif 000007
【図５】
2005347249.tif 000008